(57)【要約】【課題】    キーボード装置においては、誤入力防止及び入力速度向上の為に、比較的長いストローク量、軽い操作力、及び適当なクリック感を有する入力スイッチが好まれる。しかし、ストロークが長いとキートップがストロークする際の逃がしの為の内部空間が大きくなり、内部空間に埃等を吸い込み易くなる。そこで、埃等が入り込みにくいようにキートップの裾部を広げてキートップ群の隙間を小さくすると、入り込んでしまった埃等を掃き出しにくくなる。これら悪循環を断ち切る為にキートップ群を保護カバーで覆うと埃等は入らなくなるが、軽い操作力及び適当なクリック感が損なわれてしまう。【解決手段】  キートップ群（２）がストロークする内部空間（７）に接続された吸い出し口（８）を備える。【選択図】              図４
2007328816.tif 000002
【特許請求の範囲】
【請求項１】
複数のキートップから成るキートップ群が上面に配置されるキーボード装置であって、
前記キートップ群の押し下げ操作時に前記キートップ群を逃がす為の内部空間と、
前記内部空間に接続される吸い出し口と、
を備える、
キーボート装置。
【請求項２】
前記吸い出し口は、略円筒状又は略円穴状である、
請求項１に記載のキーボード装置。
【請求項３】
前記吸い出し口は、前記キーボード装置の上面以外に配置される、
請求項１から請求項２のいずれかに記載のキーボード装置。
【請求項４】
前記吸い出し口は、前記キーボード装置の後端部に配置される、
請求項１から請求項３のいずれかに記載のキーボード装置。
【発明の詳細な説明】
【技術分野】
【０００１】
本発明は、コンピュータ、通信機器、家電等の電化製品に文字や記号等を入力する為のキーボード装置に関する。
【背景技術】
【０００２】
キーボード装置においては、特許文献１のようにキートップ群を保護カバーによって覆い、キートップやキーボード装置内部に埃等が入りにくくするような案が知られている。
また、キーボード装置の掃除用具においては、特許文献２のようにキートップ群の隙間に挿入して内部空間の掃除を行う案が知られている。
【０００３】
【特許文献１】特開平１０−１７１５６９号公報
【特許文献２】特開２００４−３１３６９１号公報
【発明の開示】
【発明が解決しようとする課題】
【０００４】
キーボード装置においては、誤入力防止及び入力速度向上の為に、比較的長いストローク量、軽い操作力、及び適当なクリック感を有する入力スイッチが好まれる。しかし、ストロークが長いとキートップがストロークする際の逃がしの為の内部空間が大きくなり、内部空間に埃等を吸い込み易くなる。そこで、埃等が入り込みにくいようにキートップの裾部を広げてキートップ群の隙間を小さくすると、入り込んでしまった埃等を掃き出しにくくなる。これら悪循環を断ち切る為にキートップ群を保護カバーで覆うと埃等は入らなくなるが、軽い操作力及び適当なクリック感が損なわれてしまう。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係るキーボード装置は、例えば図１から３のように、
キートップ１等から成るキートップ群２が上面３に配置されるキーボード装置４であって、
キートップ群２の押し下げ操作時にキートップ群２を逃がす為の内部空間７と、
内部空間７に接続される吸い出し口８と、
を備える、
キーボート装置である。
【０００７】
発明２に係るキーボード装置は、発明１のキーボード装置において、例えば図１から３のように、
吸い出し口８は、略円筒状又は略円穴状である、
キーボード装置である。
【０００８】
発明３に係るキーボード装置は、発明１から２のいずれかのキーボード装置において、例えば図１から３のように、
吸い出し口８は、キーボード装置４の上面３以外に配置される、
キーボード装置である。
【０００９】
発明４に係るキーボード装置は、発明１から３のいずれかのキーボード装置において、例えば図１から３のように、
吸い出し口８は、キーボード装置４の後端部１０に配置される、
キーボード装置である。
【発明の効果】
【００１０】
以上のように本発明では、比較的長いストローク量を有する入力スイッチを採用する為に内部空間７を大きくし、且つ裾部１２を広げてキートップ群２の隙間を小さくするような設計を採用しても、吸い出し口８に市販の吸い込み式掃除機の吸い込み口を接続して負圧を加えることで内部空間７の埃等を容易に吸い出すことができる。
【００１１】
また発明２では、本発明の効果に加えて、市販の吸い込み式掃除機の吸い込み口を接続する際の圧力漏れが発生しにくくなる。
【００１２】
また発明３では、本発明の効果に加えて、キーボード装置４の上面３の面積を比較的小さく抑えることが容易となる。
【００１３】
また発明４では、本発明の効果に加えて、キーボード装置４を操作する手を吸い出し口８が邪魔しにくいような設計が容易となる。
【発明を実施するための最良の形態】
【００１４】
〔第１実施形態〕
図１から３において、キーボード装置４は長方形の板状であり、前端部９及び後端部１０の間の上面３にはキートップ１等から成るキートップ群２と、３個の発光ダイオードによる表示器６が配置されている。また、後端部１０の下面には脚部１９及び２１が配置されており、前端部９の下面、及び脚部１９及び２１の先端部によって机上の平面部等に安定接地可能である。
また、キートップ１が備えられる入力スイッチはメンブレンタイプであり、上側パネル５に一体成形された筒状部の内周に対して摺動可能に設置された摺動部材１３にキートップ１は設置されており、摺動部材１３は上側パネル５及びプリント基板１６の間に挟まれたゴムシートの筒状部１４に接続されており、筒状部１４の端部には導電部１５が設けられており、キートップ１の上面１１が押し下げられることで導電部１５がプリント基板１６上の一対の電極を短絡させることで入力信号が生成される。この入力信号は有線式又は無線式でコンピュータ等に伝達される。
また、キートップ１の押し下げ操作時にキートップ１を逃がす為の内部空間７は、その他のキートップを逃がす為の内部空間７でもあり、内部空間７は後端部１０内部の内部空間２０を介して下側パネル１７に一体成形された円筒部１８の内部にスムーズに接続されており、円筒部１８が吸い出し口８となっている。ここで、円筒部１８の外周を掃除機の吸い込み口に嵌め込むことや、円筒部１８の内周に掃除機の吸い込み口を嵌め込むような接続方法が考えられるが、後者の場合は吸い出し口８は円筒状でなくても円穴状であればよいだろう。
【００１５】
〔その他の実施形態〕
第１実施形態において、入力スイッチをメンブレンタイプの替わりに例えば静電容量の変化を検出するタイプ等、様々な種類のスイッチを使用可能である。
【００１６】
第１実施形態において、図４のように後端部１０の吸い出し口８を下方ではなくて後方に向けて配置するような構造が考えられる。
また、吸い出し口８及び内部空間２０を有する部材２３を、内部空間７の出口との間で挿脱可能とするような構造が考えられる。また、部材２３を外している間は、内部空間７の出口の嵌合部２２に対して蓋を嵌めておけばよいだろう。
【００１７】
第１実施形態において、掃除機の吸い込み口を嵌め込むような構造にせずに、円穴状の吸い出し口８の周りにゴム等の弾性部材を設置しておき、掃除機の吸い込み口を弾性部材に押し当てて気密性を確保するような構造も考えられる。
【図面の簡単な説明】
【００１８】
【図１】第１実施形態の上面３を見た図
【図２】図１の線分Ａ−Ａ断面図
【図３】図１の線分Ｂ−Ｂ断面図
【図４】第１実施形態の変更案の上面３を見た図（部材２３を外した状態）
【符号の説明】
【００１９】
１.                                       キートップ
２.                                       キートップ群
３,１１.               上面
４.                                       キーボード装置
５.                                       上側パネル
６.                                       表示器
７,２０.               内部空間
８.                                       吸い出し口
９.                                      前端部
１０.                                  後端部
１２.                                  裾部
１３.                                  摺動部材
１４,１８.                          筒状部
１５.                                  導電部
１６.                                  プリント基板
１７.                                  下側パネル
１９,２１.                          脚部
２２.                                  嵌合部
２３.                                  部材
【図１】
2007328816.tif 000003
【図２】
2007328816.tif 000004
【図３】
2007328816.tif 000005
【図４】
2007328816.tif 000006